(57)【要約】  【課題】外観意匠部品にも再生樹脂の適用を可能とし、製品中の再生樹脂使用率を高め、環境に配慮した冷蔵庫を提供する。  【解決手段】本体外郭５と本体内板６とその内部に充填されている発泡断熱材４と再生材製天面樹脂板１１であり、この天面樹脂板はプロピレン樹脂よりなる再生樹脂には光反射性顔料と光吸収性顔料を添加することで異物をマスキングして異物の存在を隠ぺいして目立ちにくくすることになり、外観意匠部品への再生樹脂の適用を可能にし、製品中の再生樹脂使用率を高め、環境に配慮した冷蔵庫を提供することができる。【選択図】図１
2006078060.tif 000002
【特許請求の範囲】
【請求項１】
冷蔵庫の本体外郭と本体内板とその内部に充填発泡されている断熱材と扉と再生樹脂製部材とからなるものにおいて、再生樹脂中には異物をマスキングするために光反射性顔料を添加されていることを特徴とする冷蔵庫。
【請求項２】
再生樹脂中の異物をマスキングするために光吸収顔料を添加されていることを特徴とする請求項１記載の冷蔵庫。
【請求項３】
強剛性樹脂の再生材を用いている請求項１記載の冷蔵庫。
【請求項４】
強剛性樹脂の再生材を用いている請求項２記載の冷蔵庫。
【請求項５】
再生樹脂に洗浄処理を施した請求項１から４記載の冷蔵庫。
【発明の詳細な説明】
【技術分野】
【０００１】
本発明は、再生樹脂に含まれる異物を隠ぺいする成分を添加した樹脂材料を用いた冷蔵庫に関するものである。
【背景技術】
【０００２】
近年、環境に優しい商品の普及により家電機器にも再生材料を使用する商品が登場し、家電製品の中で樹脂材料を多く使用している冷蔵庫でもその傾向は見られる（例えば特許文献１参照）。
【０００３】
以下、図面を参照しながら上記従来の冷蔵庫を説明する。
【０００４】
図４は、従来の冷蔵庫の概略断面図である。図において１は扉樹脂部品、２は扉外郭板、３は扉樹脂内板でその中に４の発泡断熱材がある。また、冷蔵庫の本体は本体外郭板５と本体樹脂内板６と天面樹脂板７とその中に５の発泡残熱材があり、本体の内部には樹脂製仕切り板８で冷蔵室と冷凍室に区分している。９は冷却器で１０は圧縮器である。
【０００５】
上記構成により、樹脂製部品には再生材料が使用されており、環境に配慮した仕様となっている。
【特許文献１】特開平６−１５９９２０号公報
【発明の開示】
【発明が解決しようとする課題】
【０００６】
しかしながら上記従来の構成では再生樹脂に異物が混入している場合、外観上問題となり、外観意匠に関わる部品には再生樹脂が使用できずそのため適用部品が少ないという課題を有していた。
【０００７】
本発明は従来の課題を解決するもので、再生樹脂中の異物を隠ぺいすることにより、外観意匠部品にも再生樹脂の適用を可能とし、製品中の再生樹脂使用率を高め、環境に配慮した冷蔵庫を提供することを目的とする。
【課題を解決するための手段】
【０００８】
上記従来の課題を解決するために、本発明の冷蔵庫は再生樹脂中に異物を隠ぺいする成分を添加することで異物を目立ちにくくするという作用を有する。
【０００９】
また、本発明の冷蔵庫は、強剛性樹脂の再生材中に異物を隠ぺいする成分を添加することで、部品の剛性を向上するという作用を有する。
【００１０】
また、本発明の冷蔵庫は、冷蔵庫庫内の外観意匠部品に洗浄処理を施した再生樹脂を用いることで、冷蔵庫使用中に付着した臭気や雑菌を除去できるという作用を有する。
【発明の効果】
【００１１】
本発明の冷蔵庫は、再生樹脂中の異物を隠ぺいし目立ちにくくすることにより、外観意匠部品への再生樹脂の適用を可能にし、製品中の再生樹脂使用率を高め、環境に配慮した冷蔵庫を提供することができる。
【００１２】
また、本発明の冷蔵庫は、強剛性樹脂の再生材を用いることにより外観部品で剛性の必要部品への再生樹脂の適用を可能にし、製品中の再生樹脂使用率を高め、環境に配慮した冷蔵庫を提供することができる。
【００１３】
また、本発明の冷蔵庫は、冷蔵庫庫内の外観意匠部品に洗浄処理を施した再生樹脂を用いることで、冷蔵庫使用中に付着した臭気や雑菌を除去できることにより、食品が直接接触する部品にも適用でき、製品中の再生樹脂使用率を高め、環境に配慮した冷蔵庫を提供することができる。
【発明を実施するための最良の形態】
【００１４】
請求項１に記載の発明は、冷蔵庫の本体外郭と本体内板とその内部に充填発泡されている断熱材と扉と再生樹脂製部材とからなるものにおいて、再生樹脂中には異物をマスキングするために光反射性顔料を添加することにより光が異物に当たる前に光反射性に当たって反射するため、異物の存在を隠ぺいして目立ちにくくすることにより、外観意匠部品への再生樹脂の適用を可能にし、製品中の再生樹脂使用率を高め、環境に配慮した冷蔵庫を提供することができる。
【００１５】
請求項２に記載の発明は、請求項１に記載の発明の冷蔵庫に、再生樹脂中の異物をマスキングするために光吸収顔料を添加することにより、光が異物に当たる前に光吸収性顔料に当たって反射しなくなるため、異物の存在を隠ぺいして目立ちにくくすることにより、外観意匠部品への再生樹脂の適用を可能にし、製品中の再生樹脂使用率を高め、環境に配慮した冷蔵庫を提供することができる。
【００１６】
請求項３に記載の発明は、請求項１記載の発明の冷蔵庫に、強剛性樹脂の再生材を用いていることにより、光が異物に当たる前に光反射性に当たって反射するため、異物の存在を隠ぺいして目立ちにくく、また外観部品で剛性の必要部品への再生樹脂の適用を可能にし、製品中の再生樹脂使用率を高め、環境に配慮した冷蔵庫を提供することができる。
【００１７】
請求項４に記載の発明は、請求項１記載の発明の冷蔵庫に、強剛性樹脂の再生材を用いていることにより、また光が異物に当たる前に光吸収性顔料に当たって反射しなくなるため、異物の存在を隠ぺいして目立ちにくく、また外観部品で剛性の必要部品への再生樹脂の適用を可能にし、製品中の再生樹脂使用率を高め、環境に配慮した冷蔵庫を提供することができる。
【００１８】
請求項５に記載の発明は、請求項１から４記載の発明の冷蔵庫に、再生樹脂に洗浄処理を施すことにより、再生樹脂中の異物を隠ぺいし目立ちにくく、また再生材の原料である使用済み冷蔵庫構成樹脂部品中に付着した臭気や雑菌を除去できることにより、食品が直接接触する部品にも適用でき、製品中の再生樹脂使用率を高め、環境に配慮した冷蔵庫を提供することができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１による冷蔵庫の概略断面図で、図２は再生樹脂内部の材料構成のイメージ図である。
【００２１】
図１において本体外郭５と本体内板６とその内部に充填されている発泡断熱材４と再生材製天面樹脂板１１であり、この天面樹脂板はプロピレン樹脂よりなる再生樹脂を用いている。また図２において１２はベース樹脂、１３は異物、１４は光反射性顔料、１５は光吸収性顔料である。
【００２２】
以上のように本実施の形態において、異物をマスキングするために光反射性顔料１３を添加することにより光が異物に当たる前に光反射性に当たって反射するため、異物の存在を隠ぺいして目立ちにくくすることになり、外観意匠部品への再生樹脂の適用を可能にし、製品中の再生樹脂使用率を高め、環境に配慮した冷蔵庫を提供することができる。
【００２３】
また本実施の形態では、異物をマスキングするためにカーボンブラックよりなる光吸収性顔料１４を添加することにより、光が異物に当たる前に光吸収性顔料に当たって反射しなくなるため、異物の存在を隠ぺいして目立ちにくく、また外観部品で剛性の必要部品への再生樹脂の適用を可能にし、製品中の再生樹脂使用率を高め、環境に配慮した冷蔵庫を提供することができる。
【００２４】
また本実施の形態では、再生樹脂に食品衛生法上問題のない洗浄剤による洗浄処理を施すことにより、再生材の原料である使用済み冷蔵庫構成樹脂部品中に付着した臭気や雑菌を除去でき、食品が直接接触する部品にも適用でき、製品中の再生樹脂使用率を高め、環境に配慮した冷蔵庫を提供することができる。
【００２５】
（実施の形態２）
図３は、本発明の実施の形態２による冷蔵庫の概略断面図である。
【００２６】
図において本体外郭４と本体内板５とその内部に充填されている発泡断熱材６と本体の内部には冷蔵室１６と冷凍室１７に区分している強剛性再生樹脂製仕切り板１８があり、この強剛性樹脂の再生材にはポリスチレン樹脂の再生材を用いている。
【００２７】
以上のように、強剛性樹脂の再生材を用いていることにより、光が異物に当たる前に光反射性に当たって反射するため、異物の存在を隠ぺいして目立ちにくく、また外観部品で剛性の必要部品への再生樹脂の適用を可能にし、製品中の再生樹脂使用率を高め、環境に配慮した冷蔵庫を提供することができる。
【産業上の利用可能性】
【００２８】
以上のように、本発明にかかる冷蔵庫は、再生樹脂中の異物を隠ぺいし目立ちにくくすることにより、外観意匠部品への再生樹脂の適用を可能にし、製品中の再生樹脂使用率を高め、環境に配慮した冷蔵庫を提供することができるという効果を有するので、再生樹脂を用いた外郭部品を有する高意匠性の機器等の用途にも適用できる。
【図面の簡単な説明】
【００２９】
【図１】本発明の実施の形態１による冷蔵庫の概略断面図
【図２】本発明の実施の形態１による冷蔵庫の再生樹脂内部の材料構成のイメージ図
【図３】本発明の実施の形態２による冷蔵庫の概略断面図
【図４】従来の冷蔵庫の概略断面図
【符号の説明】
【００３０】
４    発泡断熱材
５    本体外郭板
６    本体樹脂内板
１１  再生樹脂製天面板（再生樹脂製部材）
１２  ベース樹脂
１３  異物
１４  光反射性顔料
１５  光吸収性顔料
１６  冷蔵室
１７  冷凍室
１８  再生樹脂製仕切り板（再生樹脂製部材）
【図１】
2006078060.tif 000003
【図２】
2006078060.tif 000004
【図３】
2006078060.tif 000005
【図４】
2006078060.tif 000006